(57)【要約】【課題】ネットワークカメラのネットワーク設定を簡易にするネットワークカメラシステムを提供する。【解決手段】管理センタに接続されるカメラ装置は、撮像機能のほかにネットワーク設定機能を有し、ネットワーク設定モードにおいては、設定モードの有効時間を設定し、ネットワーク設定情報を撮像し、設定情報の妥当性を評価して保存するとともに管理センタに報告するように構成されている。【選択図】図１
2010103691.tif 000002
【特許請求の範囲】
【請求項１】
管理センタに接続されるカメラ装置は、撮像機能のほかにネットワーク設定機能を有し、ネットワーク設定モードにおいては、前記設定モードの有効時間を設定し、前記ネットワーク設定情報を撮像し、前記設定情報の妥当性を評価して保存するとともに管理センタに報告することを特徴とするネットワークカメラシステム。
【発明の詳細な説明】
【技術分野】
【０００１】
本発明は、ネットワークカメラシステムに係り、特に、カメラ装置のネットワーク設定に関する。
【背景技術】
【０００２】
ネットワークカメラは、ネットワークに接続するためには、ネットワーク設定（ＩＰアドレス、サブネットマスク、デフォルトゲートウェイ等）を行う必要がある。ネットワークカメラで撮像された映像を再生する装置は、このネットワーク設定情報に基づいて、ネットワークに接続された複数のカメラから所望のカメラを識別して映像を再生する。従って、ネットワーク設定情報は、各カメラでユニークな情報でなければならない。ネットワーク設定の例として、特許文献１には、携帯端末からネットワーク設定情報を入力することによりネットワーク設定を行う通信システムが開示されている。
【０００３】
【特許文献１】特開２００５−２４４２６８号公報
【発明の開示】
【発明が解決しようとする課題】
【０００４】
前述のように、ネットワーク設定情報は、各カメラでユニークな情報でなければならない。そこで、ネットワークカメラの管理者は、１台ごとにこのユニークなネットワーク情報の設定を行うことになるが、特に、製品として出荷された直後のネットワークカメラは、デフォルト設定として同じネットワーク設定が施されているのが一般的であり、管理者は、１台１台のネットワークカメラを順に起動して、ネットワークカメラに新しいネットワーク設定を施さなければならない。
【０００５】
また、ネットワーク設定には、ＲＦＣ２１３１に定義されるＤＨＣＰ（Ｄｙｎａｍｉｃ  Ｈｏｓｔ  Ｃｏｎｆｉｇｕｒａｔｉｏｎ  Ｐｒｏｔｏｃｏｌ）を使用してネットワークカメラに自動的にネットワーク設定する方法もあるが、ＤＨＣＰサーバによって割り当てられるネットワーク設定は動的に変化するので、実際にどのネットワークカメラにどのネットワーク設定が割り当てられたかを確認するためには、専用のアプリケーションを要し、その管理が必要となる。また、ＤＨＣＰを使用するには、ＤＨＣＰサーバが必要となる。
【０００６】
本発明の目的は、複数台のネットワークカメラのネットワーク設定を簡易にするネットワークカメラシステムを提供することにある。
【課題を解決するための手段】
【０００７】
上記目的を達成するために、本発明のネットワークカメラシステムは、管理センタに接続されるカメラ装置は、撮像機能のほかにネットワーク設定機能を有し、ネットワーク設定モードにおいては、前記設定モードの有効時間を設定し、前記ネットワーク設定情報を撮像し、前記設定情報の妥当性を評価して保存するとともに管理センタに報告するように構成する。
【発明の効果】
【０００８】
本発明によれば、管理者の手動によるネットワーク設定作業、及びＤＨＣＰサーバを要せずに、ネットワークカメラのネットワーク設定が可能であるネットワークカメラシステムを提供することができる。
【発明を実施するための最良の形態】
【０００９】
次に、本発明を実施するための最良の形態を、以下の実施例に基づき図面を参照しつつ説明する。
【００１０】
図１は、本発明の一実施例のネットワークカメラシステムの概略構成を示すブロック図である。ネットワークカメラシステムは、複数のネットワークカメラ１００、及びこれらのネットワークカメラ１００を管理する管理センタ１５０から構成されている。
【００１１】
ネットワークカメラ１００は、対象物を光学的に撮影するための光学系１０１、光学系１０１が撮影した映像データをデジタルデータに変換し、また、映像データの解析を行う画像処理系１０２、クライアント（図示せず、例えば、映像再生装置、または、管理センタ１５０が兼ねてもよい。）からの要求をＣＰＵ１０３に伝達し、また、ＣＰＵ１０３からの応答をクライアントへ返信するためのＮＩＣ１０４、画像処理系がデジタル化した映像データを一時保存するためのＲＡＭ１０５、ネットワークカメラ設定を保存するためのフラッシュメモリ１０６、これらの構成部を制御するためのＣＰＵ１０３、光学系でのネットワーク設定機能をＯＮ／ＯＦＦするためのスイッチ１０７、及びネットワーク設定モード／通常モードを判別表示するための例えばＬＥＤからなるモード表示部１０８を有する。
【００１２】
次に、ネットワークカメラシステムの動作について説明する。ネットワークカメラ１００は、ＣＰＵ１０３が起動中にスイッチ１０７のＯＮを感知すると、ネットワーク設定モードへ移行する。ネットワーク設定モード時には、図３に示すようにネットワークカメラ３０２で二次元コード３０１（ネットワーク設定情報等を変換したＪＩＳＸ０５１０規格によるＱＲコード等）、または、図４に示すようにネットワークカメラ４０２で文字情報画像４０１を撮影する。尚、二次元コード３０１や文字情報画像４０１は、紙への印刷でもディスプレイへの表示であってもネットワークカメラ１００が撮影可能なものであればよい。
【００１３】
光学系１０１が撮影したネットワーク設定情報を画像処理系１０２が解析し、解析した結果をＣＰＵ１０３へ送信する。ＣＰＵ１０３は、受信したネットワーク設定情報をフラッシュメモリ１０６に保存する。保存後、再起動することでネットワーク設定情報をネットワークカメラ１００に反映させる。
【００１４】
通常動作時には、ネットワークカメラ１００は、光学系１０１が撮影したデータを画像処理系１０２がデジタルデータに変換し、デジタル化された映像データをＣＰＵ１０３がＲＡＭ１０５に一時保存する。クライアントからの映像データ取得要求をＮＩＣ１０４が受信すると、要求はＣＰＵ１０３に転送され、要求を受信したＣＰＵ１０３は、ＲＡＭ１０５から該当する映像データを取り出してＮＩＣ１０４に転送する。ＮＩＣ１０４は、ＣＰＵ１０３からの映像データ返送を受信すると、映像データをクライアントへ返送する。
【００１５】
また、管理センタ１５０からネットワークカメラ１００への設定変更要求を受信したＮＩＣ１０４は、ＣＰＵ１０３へ要求を転送する。設定変更要求を受信したＣＰＵ１０３へ要求を転送する。設定変更要求を受信したＣＰＵ１０３は設定値をフラッシュメモリ１０６に保存し、設定変更結果をＮＩＣ１０４へ転送する。ＮＩＣ１０４は、ＣＰＵからの設定変更結果を受信すると、管理センタ１５０へ設定変更結果を返送する。ネットワークカメラ１００は、起動時にＣＰＵ１０３がフラッシュメモリ１０６から設定値を読み出して反映する。
【００１６】
図２は、ネットワーク設定モード時の処理フローを示す図である。ＣＰＵ１０３は、定期的にスイッチ１０７の状態を確認し（ステップ２０１）、スイッチ１０７がＯＮの場合、ネットワーク設定モードでの有効時間を確認するため、例えばＣＰＵ１０３内に設けられたタイマー（図示せず）をスタートする（ステップ２０２）。一方、スイッチ１０７がＯＦＦの場合、処理は終了となる。ＣＰＵ１０３は、タイマーの値を確認し（ステップ２０３）、タイマー値が、例えば、ＣＰＵ１０３がスイッチ１０７のＯＮを感知してからＮ秒間のネットワーク設定モードの有効時間内である場合、光学系１０１が撮影して画像処理系１０２が解析した映像データが有効なネットワーク設定データか否かを確認する（ステップ２０４）。確認の結果、有効なネットワーク設定である場合、ＣＰＵ１０３は、ネットワーク設定値を取得する（ステップ２０６）。ＣＰＵ１０３は、取得したネットワーク設定値の妥当性を判断し（ステップ２０７）、設定値が妥当である場合、ネットワーク設定値をフラッシュメモリ１０６へ保存する（ステップ２０８）。フラッシュメモリ１０６への保存が終了すると、ＣＰＵ１０３は、再起動を開始してネットワーク設定値の変更をネットワークカメラ１００へ反映させる（ステップ２０９）。
【００１７】
尚、ステップ２０４において、有効なネットワーク設定データでない場合には、一定時間待機して（ステップ２０５）、ステップ２０３へ戻る。また、ステップ２０３においてタイマー値がネットワーク設定モードの有効時間を超過した場合、または、ステップ２０７においてネットワーク設定値が妥当でない場合、ＣＰＵ１０３は、ネットワーク設定モードを終了して、通常モードに戻す。
【００１８】
以上、本発明によれば、ネットワーク設定情報を含んだ二次元コード等を読み取ることにより、ネットワークカメラのＩＰアドレス等のネットワーク設定が可能となるので、ネットワーク設定において、ネットワーク管理者の手動による設定作業、及びＤＨＣＰサーバを不要とすることができる。
【図面の簡単な説明】
【００１９】
【図１】本発明の一実施例のネットワークカメラシステムの概略構成を示すブロック図である。
【図２】本発明の一実施例のネットワーク設定モード時の処理フローを示す図である。
【図３】ネットワーク設定情報の撮影を説明するための図（その１）である。
【図４】ネットワーク設定情報の撮影を説明するための図（その２）である。
【符号の説明】
【００２０】
１００、３０２、４０２：ネットワークカメラ、  １０１：光学系、  １０２：画像処理系、  １０３：ＣＰＵ、  １０４：ＮＩＣ、  １０５：ＲＡＭ、  １０６：フラッシュ、  １０７：スイッチ、  １０８：モード表示部、  １５０：管理センタ、  ３０１：二次元コード、  ４０１：文字情報画像。
【図１】
2010103691.tif 000003
【図２】
2010103691.tif 000004
【図３】
2010103691.tif 000005
【図４】
2010103691.tif 000006